【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
複数のネットワークと接続可能な無線通信装置であって、
前記複数のネットワークを構成する機器との間で、順番に所定の周期で通信を行う通信手段と、
接続ネットワーク数が変化した際、各機器における通信制御パラメータを決定する決定手段と、
前記決定手段で決定された前記通信制御パラメータを、前記ネットワーク内の機器に通知する通知手段と、
前記通知手段で通知した前記通信制御パラメータに従い前記通信手段を制御する通信制御手段と、
を備えることを特徴とする無線通信装置。
【請求項２】
前記決定手段は、各機器における通信停止期間及び通信停止動作開始時期を決定することを特徴とする請求項１に記載の無線通信装置。
【請求項３】
前記決定手段は、前記所定の周期が一定値である際、該所定の周期と接続ネットワーク数とに基づいて、前記通信停止期間を決定することを特徴とする請求項２に記載の無線通信装置。
【請求項４】
前記決定手段は、前記所定の周期が可変値である際、各機器の通信時間と接続ネットワーク数とに基づいて、前記通信停止期間を決定することを特徴とする請求項２に記載の無線通信装置。
【請求項５】
前記通信手段は、最大Ｎ個のネットワークと接続可能であり、
前記決定手段は、前記所定の周期内に構成されたＮ個の通信タイムスロットに基づいて各機器で使用する通信制御パラメータを決定することを特徴とする請求項１に記載の無線通信装置。
【請求項６】
前記決定手段は、前記所定の周期内での各機器における通信停止期間及び通信停止動作開始時期を決定することを特徴とする請求項５に記載の無線通信装置。
【請求項７】
前記決定手段は、前記所定の周期と各機器の通信時間とに基づいて、前記通信停止期間を決定することを特徴とする請求項６に記載の無線通信装置。
【請求項８】
前記決定手段は、ネットワークの接続が切断された際、該ネットワークを構成する機器に対応する通信タイムスロットの割当てを削除することを特徴とする請求項５に記載の無線通信装置。
【請求項９】
前記決定手段は、所定の条件に応じて、第１のネットワークでの通信停止期間と第２のネットワークでの通信停止期間との重複期間を決定することを特徴とする請求項６に記載の無線通信装置。
【請求項１０】
複数のネットワークと接続可能であり、該複数のネットワークを構成する機器との間で、順番に所定の周期で通信を行う通信手段を備える無線通信装置の制御方法であって、
接続ネットワーク数が変化した際、各機器における通信制御パラメータを決定する決定工程と、
前記決定工程で決定された前記通信制御パラメータを、前記ネットワーク内の機器に通知する通知工程と、
前記通知工程で通知した前記通信制御パラメータに従い前記通信手段を制御する通信制御工程と、
を備えることを特徴とする無線制御装置の制御方法。
【請求項１１】
請求項１０記載の制御方法をコンピュータに実行させるためのプログラム。
【手続補正２】
【補正対象書類名】明細書
【補正対象項目名】発明の名称
【補正方法】変更
【補正の内容】
【発明の名称】無線通信装置、無線通信装置の制御方法、及びプログラム
【手続補正３】
【補正対象書類名】明細書
【補正対象項目名】０００１
【補正方法】変更
【補正の内容】
【０００１】
本発明は、無線通信装置、無線通信装置の制御方法、及びプログラムに関する。
【手続補正４】
【補正対象書類名】明細書
【補正対象項目名】００１３
【補正方法】変更
【補正の内容】
【００１３】
本発明はこのような問題点に鑑みてなされたものであって、接続ネットワーク数が変化した場合であっても、通信効率の良い通信時間の配分となるような通信制御を行うことを目的とする。
【手続補正５】
【補正対象書類名】明細書
【補正対象項目名】００１４
【補正方法】変更
【補正の内容】
【００１４】
上記目的を達成するために、請求項１に記載の無線通信装置は、複数のネットワークと接続可能な無線通信装置であって、前記複数のネットワークを構成する機器との間で、順番に所定の周期で通信を行う通信手段と、接続ネットワーク数が変化した際、各機器における通信制御パラメータを決定する決定手段と、前記決定手段で決定された前記通信制御パラメータを、前記ネットワーク内の機器に通知する通知手段と、前記通知手段で通知した前記通信制御パラメータに従い前記通信手段を制御する通信制御手段とを備えることを特徴とする。
【手続補正６】
【補正対象書類名】明細書
【補正対象項目名】００１５
【補正方法】変更
【補正の内容】
【００１５】
請求項１０に記載の無線通信装置の制御方法は、複数のネットワークと接続可能であり、該複数のネットワークを構成する機器との間で、順番に所定の周期で通信を行う通信手段を備える無線通信装置の制御方法であって、接続ネットワーク数が変化した際、各機器における通信制御パラメータを決定する決定工程と、前記決定工程で決定された前記通信制御パラメータを、前記ネットワーク内の機器に通知する通知工程と、前記通知工程で通知した前記通信制御パラメータに従い前記通信手段を制御する通信制御工程とを備えることを特徴とする。
【手続補正７】
【補正対象書類名】明細書
【補正対象項目名】００１６
【補正方法】変更
【補正の内容】
【００１６】
請求項１１に記載のプログラムは、上記無線通信装置の制御方法をコンピュータに実行させることを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００２１
【補正方法】変更
【補正の内容】
【００２１】
なお、たとえばネットワーク対応装置毎に転送するデータ量が異なる場合に、大量データの転送を要求する装置に対して、より多くのアクセス時間を割当てるようにすれば、そうした装置に対して優先的にデータ送信を行わせることもできる。このように、本発明によれば、接続ネットワーク数が変化した場合であっても、通信効率の良い通信時間の配分となるように通信を制御することができる。
【手続補正１０】
【補正対象書類名】明細書
【補正対象項目名】００２３
【補正方法】変更
【補正の内容】
【００２３】
〔第１の実施の形態〕
図１は、本発明の第１の実施の形態に係る無線通信装置を含む画像転送システムの全体
の構成を示す図である。なお、この無線通信装置はネットワークカメラである。
【手続補正１１】
【補正対象書類名】明細書
【補正対象項目名】００９３
【補正方法】変更
【補正の内容】
【００９３】
【図１】本発明の第１の実施の形態に係る無線通信装置（ネットワークカメラ）を含む画像転送システムの全体の構成を示す図である。
【図２】図１に示す複数のスキャッタネットをそれぞれ構成するノードを、複数のネットワークノードで表した図である。
【図３】図２に示す各ノードにおける通信状態および通信停止状態を時間軸に沿って表した図である。
【図４】ネットワークカメラにおいて行われる新たな接続要求時の接続処理の手順を示すフローチャートである。
【図５】２つの異なるネットワークが存在する場合におけるネットワーク管理テーブルの一例を示す図である。
【図６】３つ目のネットワークが構成され、図４のステップ８０４で、通信停止周期を変化させずに通信停止期間等の再計算を行った後に、ステップ８０５で更新された場合のネットワーク管理テーブルの一例を示す図である。
【図７】３つ目のネットワークが構成され、図４のステップ８０４で、通信停止周期を変化させて通信停止期間等の再計算を行った後に、ステップ８０５で更新された場合のネットワーク管理テーブルの一例を示す図である。
【図８】図４のステップＳ８０４で行われる通信停止期間等の計算処理の手順を示すフローチャートである。
【図９】第２の実施の形態における各ノードの通信状態および通信停止状態を時間軸に沿って表した図である。
【図１０】第２の実施の形態におけるネットワークカメラで行われる通信停止期間の計算処理の手順を示すフローチャートである。
【図１１】ノードＳがノードＭ１，Ｍ２，Ｍ３と３つのネットワークを構成しているときに、切断要求処理によりノードＭ３がノードＳとの接続を解除した場合における各ノードの通信状態および通信停止状態を時間軸に沿って表した図である。
【図１２】第２の実施の形態においてネットワークの切断要求があった場合にネットワークカメラで行われるネットワークの切断処理の手順を示すフローチャートである。